(57)【特許請求の範囲】
【請求項１】
コロイド状物質、前記コロイド状物質よりも粒径が大きい粒子状物質及び放射性物質を含む放射性廃液を、ろ過装置に供給して前記粒子状物質を前記ろ過装置で除去し、前記ろ過装置から排出された前記放射性廃液に含まれる前記コロイド状物質を静電フィルタで除去し、前記コロイド状物質が除去された前記放射性廃液が吸着装置に供給され、前記放射性廃液に含まれる放射性物質を前記吸着装置で除去することを特徴とする放射性廃液の処理方法。
【請求項２】
負に帯電している前記コロイド状物質の除去が正に帯電される前記静電フィルタを用いて行われる請求項１に記載の放射性廃液の処理方法。
【請求項３】
正に帯電している前記コロイド状物質の除去が負に帯電される前記静電フィルタを用いて行われる請求項１または２に記載の放射性廃液の処理方法。
【請求項４】
前記コロイド状物質が除去された前記放射性廃液の放射能濃度を測定し、測定された前記放射能濃度が、前記放射能濃度の測定下限値よりも大きいとき、前記コロイド状物質が除去された前記放射性廃液を前記吸着装置に供給し、測定された前記放射能濃度が、前記測定下限値以下であるとき、前記コロイド状物質が除去された前記放射性廃液を、前記吸着装置をバイパスさせる請求項１に記載の放射性廃液の処理方法。
【請求項５】
コロイド状物質、前記コロイド状物質よりも粒径が大きい粒子状物質及び放射性物質を含む放射性廃液から前記粒子状物質を除去するろ過装置と、前記ろ過装置に接続され、前記コロイド状物質を除去する静電フィルタを有するコロイド除去装置と、前記コロイド除去装置に接続され、前記放射性物質を吸着する吸着材を有する吸着装置とを備えたことを特徴とする放射性廃液処理装置。
【請求項６】
前記コロイド除去装置が、負に帯電している前記コロイド状物質を除去する正に帯電される第１静電フィルタを有する第１コロイド除去装置、及び正に帯電している前記コロイド状物質を除去する負に帯電される第２静電フィルタを有する第２コロイド除去装置を含んでいる請求項５に記載の放射性廃液処理装置。
【請求項７】
前記コロイド除去装置と前記吸着装置を接続する接続配管と、前記接続配管に設けられた第１開閉弁と、前記コロイド除去装置と前記第１開閉弁の間で前記接続配管に接続され、前記吸着装置をバイパスするバイパス配管と、前記バイパス配管に設けられた第２開閉弁と、前記第１開閉弁よりも上流で前記接続配管内を流れる前記放射性廃液の放射能濃度を測定する放射線検出器とを備えた請求項５に記載の放射性廃液処理装置。
【請求項８】
前記吸着装置において前記放射性物質を吸着する前記吸着材が、ゼオライト、フェロシアン化物、チタン酸化合物、イオン交換樹脂、キレート樹脂、活性炭及び添着活性炭のうちの少なくとも一つである請求項５に記載の放射性廃液処理装置。
【発明の詳細な説明】
【技術分野】
【０００１】
本発明は、放射性廃液の処理方法及び放射性廃液処理装置に係り、特に、土壌などの粒子成分を含む放射性廃液に含まれる放射性核種を除去するのに好適な放射性廃液の処理方法及び放射性廃液処理装置に関する。
【背景技術】
【０００２】
原子力施設、例えば、原子力プラントにおいて発生する放射性核種を含む放射性廃液の処理方法の一つに、無機系の吸着剤及びイオン交換樹脂等によりイオン状の放射性核種を吸着して除去する処理方法がある。
【０００３】
放射性廃液から放射性核種を吸着除去する処理方法の一例が、例えば、Ikeda et al., Proceedings of GLOBAL 2011, Dec.11-16, 2011, Makuhari, Japan, USA, Paper No. 524705 (2011)に記載されている。この放射性核種の吸着除去処理方法では、吸着材を充填した容器内に放射性廃液を通水し、放射性廃液に含まれたイオン状の放射性核種を吸着材に吸着させて除去している。なお、吸着材を充填した容器内に放射性廃液を供給する前において、放射性廃液に含まれる粒状物質がろ過装置で除去される。
【０００４】
また、例えば特開２０１３−５７５９９号公報は放射性汚水の処理方法を記載している。放射性廃液が流入した容器内にフェロシアン化鉄を添加して放射性廃液に含まれている放射性セシウムをフェロシアン化鉄に吸着させ、その後、容器内の放射性廃液にゼオライト系吸着材を添加して放射性廃液に含まれる放射性ストロンチウムをゼオライト系吸着材に吸着させる。さらに、無機系凝集剤がその放射性廃液に添加される。無機系凝集剤の作用により、放射性セシウムを吸着したフェロシアン化鉄の粒子及び放射性ストロンチウムを吸着したゼオライト系吸着材の粒子を含む固形物粒子の集合体が形成され、この集合体が沈降分離される。
【０００５】
さらに、特開２００２−３１６９７号公報に記載された放射性廃液の処理方法では、ろ過装置及びイオン交換装置が用いられる。ろ過装置として限外ろ過膜が用いられている。放射性廃液に含まれるコロイド成分が限外ろ過膜で除去され、その後、放射性廃液に含まれるイオン状の放射性核種がイオン交換装置で除去される。特開２０１３−１０８８０８号公報に記載された放射性廃液の処理方法でも、放射性廃液に含まれるコロイド成分がろ過装置（例えば、限外ろ過膜）で除去されている。放射性廃液のろ過装置への供給は、放射性廃液に水酸化ナトリウムを添加して放射性廃液のｐＨを所定の値に調節した後に行われる。ろ過装置でコロイドが除去された放射性廃液がチタン酸塩系吸着材を充填した吸着塔に供給される。チタン酸塩系吸着材はストロンチウムを吸着しやすいので、放射性廃液に含まれたストロンチウムが吸着塔内で除去される。
【先行技術文献】
【特許文献】
【０００６】
【特許文献１】特開２０１３−５７５９９号公報
【特許文献２】特開２００２−３１６９７号公報
【特許文献３】特開２０１３−１０８８０８号公報
【非特許文献】
【０００７】
【非特許文献１】Ikeda et al., Proceedings of GLOBAL 2011, Dec.11-16, 2011, Makuhari, Japan, USA, Paper No. 524705 (2011)
【発明の概要】
【発明が解決しようとする課題】
【０００８】
放射性廃液から放射性核種を除去した処理水を原子力施設外に排出する場合には、処理水中の放射性核種の濃度を基準値以下にすることが求められている。基準値の例として、指定された仕様の放射線計測器による放射性核種の濃度の測定結果が、その放射線計測器の測定下限値以下であることが挙げられる。
【０００９】
放射性核種を含む放射性廃液、特に原子力施設内で発生した汚染水には、土壌、砂成分、コンクリート片及び植物等の粒子状物質が含まれる場合がある。この放射性廃液は、多くの場合、一旦、タンク等に溜められ、放射性廃液に含まれる粒径の大きな物質がタンク内で沈降されて除去される。その後、粒径の大きな物質が除去された放射性廃液に含まれる放射性核種は、ろ過操作を経て吸着材によって除去されるか、凝集沈殿剤を放射性廃液に添加して沈殿させて除去する。
【００１０】
発明者らは、放射性核種であるセシウム−１３７が付着した土壌試料を用い、セシウム−１３７の分布を調査した。始めに、土壌試料を水に懸濁させ、土壌試料を含む水をしばらく静置して沈降成分と上澄み水に分離した。その後、上澄み水を目開きの異なるろ紙でろ過し、上済水における、１マイクロメートル以上の粒子、１マイクロメートル以下の微粒子（コロイド）、及びイオン成分におけるセシウム−１３７のそれぞれの濃度を測定した。この結果、セシウム−１３７は、１μｍ以上の粒子を９８．５％、１μｍ未満の微粒子及びコロイドに１％、溶液に０．５％に含まれていることが分かった。これより、放射性核種を、放射線計測器の測定下限値以下になるまで除去するためには、物理ろ過により除去できる粒子成分、及び吸着剤で化学吸着により除去されるイオン成分の他に、微粒子及びコロイドも除去する必要があることが分かった。
【００１１】
Ikeda et al., Proceedings of GLOBAL 2011, Dec.11-16, 2011, Makuhari, Japan, USA, Paper No. 524705 (2011)に記載された方法における、ろ過装置による粒状物質の除去、及び吸着材によるイオン成分の吸着分離では、微粒子及びコロイド成分がろ過装置及び吸着材により除去できず、処理水の放射能濃度を測定下限値以下にすることは困難であった。
【００１２】
一方、特開２０１３−５７５９９号公報に記載された放射性汚水の処理方法では、放射性汚水に凝集沈殿剤を添加して沈殿を生成する際には、粒子、及びイオン成分を吸着した吸着材と共に、微粒子及びコロイドが放射性汚水に含まれている場合には微粒子及びコロイドも凝集して沈殿するため、処理水の放射能濃度を測定下限値以下にすることは可能である。しかし、凝集沈殿剤添加で発生する放射性物質を含む沈殿は量が多く、また水分を含む沈殿の貯蔵方法及び処分方法が難しいという課題がある。
【００１３】
特開２００２−３１６９７号公報及び特開２０１３−１０８８０８号公報にそれぞれ記載された放射性核種の除去方法では、設置した限外ろ過装置により粒子成分、微粒子、コロイド成分を除去することができるが、限外ろ過膜は孔径が小さく、大量の粒子成分を除去する場合には、限外ろ過膜が閉塞する恐れがある。
【００１４】
特開２００２−３１６９７号公報に記載された放射性廃液の処理方法では、目詰まり防止装置を限外ろ過膜に設けている。目詰まり防止装置は、限外ろ過膜を振動させる振動機構、限外ろ過膜を回転させる回転機構等の限外ろ過膜に対して物理的な機構を有している。目詰まり防止装置から限外ろ過膜に物理的な衝撃を与えることにより、限外ろ過膜に堆積した粒子成分が限外ろ過膜から分離されてスラリーとして排出される。この含水量の多いスラリーを貯蔵して保管することは、放射性廃棄物の発生量及び性状安定性の観点で課題がある。特開２０１３−１０８８０８号公報に記載された放射性廃液の処理方法では、ｐＨ調整が必要であり、ｐＨ調整用の試薬、撹拌装置及びｐＨ確認のための分析装置が必要となる。
【００１５】
本発明の目的は、放射性廃棄物の発生量を低減しつつ、簡素な装置構成で放射性廃液から放射性物質を測定下限値以下まで除去できる放射性廃液の処理方法を提供することにある。
【課題を解決するための手段】
【００１６】
上記した目的を達成する本発明の特徴は、コロイド状物質、コロイド状物質よりも粒径が大きい粒子状物質及び放射性物質を含む放射性廃液を、ろ過装置に供給して粒子状物質をろ過装置で除去し、ろ過装置から排出された放射性廃液に含まれるコロイド状物質を静電フィルタで除去し、コロイド状物質が除去された放射性廃液が吸着装置に供給され、放射性廃液に含まれる放射性物質を吸着装置で除去することにある。
【００１７】
ろ過装置でコロイド状物質よりも粒径が大きい粒子状物質を除去し、静電フィルタでコロイド状物質を除去し、吸着装置で放射性物質を除去するので、簡素な装置構成で、放射性廃棄物の発生量を低減することができ、放射性物質を測定下限値以下まで除去することができる。
【発明の効果】
【００１８】
本発明によれば、放射性廃棄物の発生量を低減しつつ、簡素な装置構成で放射性廃液から放射性物質を測定下限値以下まで除去することができる。
【図面の簡単な説明】
【００１９】
【図１】本発明の好適な一実施例である実施例１の放射性廃液の処理方法に用いられる放射性廃液処理装置の構成図である。
【図２】実施例１の放射性廃液の処理方法により発生する放射性廃棄物量を示す説明図である。
【図３】本発明の他の好適な実施例である実施例２の放射性廃液の処理方法に用いられる放射性廃液処理装置の構成図である。
【図４】本発明の他の好適な実施例である実施例３の放射性廃液の処理方法に用いられる放射性廃液処理装置の構成図である。
【発明を実施するための形態】
【００２０】
本発明の実施例を以下に説明する。
【実施例１】
【００２１】
本発明の好適な一実施例である実施例１の放射性廃液の処理方法を、図１を用いて説明する。さらに、この放射性廃液の処理方法に用いられる放射性廃液処理装置を、図１を用いて説明する。
【００２２】
本実施例に用いられる放射性廃液処理装置１は、ろ過装置２、コロイド除去装置３及び吸着装置５を有する。ろ過装置２は、放射性廃液に含まれる粒子成分を物理的にろ過する装置であり、ろ過材を充填したカートリッジフィルタ（またはプリーツフィルタ）を内部に設けている。ろ過装置２は、放射性廃液に含まれる約１μｍ以上の粒子を除去する。コロイド除去装置３は、ケーシング内に複数の静電フィルタ４を設置している。吸着装置５は複数の吸着塔６を有する。放射性廃液に含まれる放射性核種の種類に応じて選定した吸着材が、別々に各吸着塔６内に充填されている。放射性廃液供給管７がろ過装置２に接続される。ろ過装置２とコロイド除去装置３は接続配管８によって接続される。吸着装置５における複数の吸着塔６のうち最も上流に位置する吸着塔６が、接続配管９によってコロイド除去装置３に接続される。吸着装置５内のそれぞれの吸着塔６は、配管１０によって順次接続されている。排出管１１が、吸着装置５における複数の吸着塔６のうち最も下流に位置する吸着塔６に接続される。
【００２３】
吸着装置５の各吸着塔６に充填する吸着材としては、放射性セシウム及び放射性ストロンチウムを選択的に吸着するために、例えば、天然ゼオライト、人工ゼオライト及びケイチタン酸を用い、放射性アンチモン等を選択的に吸着するために、例えば、含水酸化セリウム担持吸着剤を用い、放射性の重金属を選択的に吸着するために、例えば、オキシン添着活性炭を用いる。これらの吸着材が各吸着塔６に別々に充填されている。吸着装置５において用いられる放射性核種を吸着する吸着材として、ゼオライト、フェロシアン化物、チタン酸化合物、チタン酸塩化合物、イオン交換樹脂、キレート樹脂、活性炭及び添着活性炭のうちの少なくとも一つが用いられる。
【００２４】
放射性廃液処理装置１を用いた本実施例の放射性廃液の処理方法を説明する。本実施例の放射性廃液の処理方法では、沸騰水型原子力プラントにおいて発生した放射性廃液が処理される。１μｍ以上の粒子、負に帯電しているコロイド及び２種類以上の放射性核種を含む放射性廃液が、放射性廃液供給管７に設けられたポンプ（図示せず）を駆動することによって放射性廃液供給管７を通してろ過装置２に供給される。放射性廃液に含まれた１μｍ以上の粒子がろ過装置２内のカートリッジフィルタによって除去される。ろ過装置２から排出された放射性廃液が、接続配管８を通してコロイド除去装置３に供給される。
【００２５】
放射性廃液に含まれるコロイドが、コロイド除去装置３内の静電フィルタ４によって除去される。１μｍ未満の微粒子は、コロイドと呼ばれている。コロイドは表面が正または負に帯電している。コロイドの帯電が正か負かは、そのコロイドを形成する物質及び表面構造によって決まる。一般的に、土壌成分由来のコロイドは負に帯電していることが多い。本実施例では、コロイド除去装置３内の静電フィルタ４は通電されたときに正に帯電されるので、放射性廃液に含まれた負に帯電している土壌成分由来のコロイドが各静電フィルタ４の表面に付着されて除去される。コロイド除去装置３に供給される放射性廃液のｐＨ調節は不要である。静電フィルタ４では、約１ｎｍ以上１μｍ未満の範囲の粒径を有するコロイド粒子が除去される。
【００２６】
コロイド粒子が除去された放射性廃液が、接続配管９を通して吸着装置５の吸着塔６に供給される。吸着装置５に供給される放射性廃液は、粒子成分及びコロイドを含んでいない。放射性廃液に含まれる、例えば、放射性セシウム、放射性ストロンチウム及び放射性アンチモン等の放射性核種はイオンになっている。放射性廃液が複数の吸着塔６を通過するたびに、放射性廃液に含まれる放射性セシウム、放射性ストロンチウム、放射性ヨウ素等の各放射性核種が各吸着塔６で別々に吸着材に吸着されて除去される。それぞれの吸着塔６には、放射性廃液に含まれるそれぞれの放射性核種の全量を十分に吸着できる量の該当する吸着材が充填されている。このため、吸着装置５から排出管１１に排出された処理水に含まれる各放射性核種の濃度は、測定下限値以下になる。吸着装置５から排出された処理水は、排出管１１を通して貯蔵タンク（図示せず）に供給されて保管される。排出管１１に設けた放射線計測器（図示せず）で排出管１１内を流れる処理水に含まれる各放射性核種の濃度を測定したところ、各放射性核種の濃度がそれぞれ測定下限値以下であった。
【００２７】
吸着装置５の各吸着塔６に充填されたそれぞれの吸着材は処理水のｐＨ調整なしで十分な吸着性能を有し、吸着装置５から排出された処理水のｐＨも中性（ｐＨ＝６〜８）の範囲となるため、処理後のｐＨ調整も不要である。
【００２８】
本実施例の放射性廃液の処理方法による効果を検証するため、本実施例の放射性廃液の処理方法で発生する放射性廃棄物の発生量を評価した。本実施例の放射性廃液の処理方法で発生する放射性廃棄物の発生量を、図２に示した。比較のため、公知例である凝集沈殿剤添加による放射性廃液の処理方法で発生する廃棄物発生量も評価し、図２に示した。公知例では、ろ過工程、吸着材による吸着工程、及び凝集沈殿剤添加による凝集沈殿工程（スラッジを生成）でそれぞれ発生する放射性廃棄物の合計量が多くなる。これに対して、本実施例では、放射性廃棄物となる、ろ過装置２のろ材（カートリッジフィルタ等）、静電フィルタ４の廃フィルタ及び吸着装置５の廃吸着材の合計量は、凝集沈殿剤添加による公知の放射性廃棄物の処理方法で発生する放射性廃棄物量の合計量の１／３以下となり、放射性廃棄物の発生量が低減された。
【００２９】
本実施例によれば、ろ過装置２、静電フィルタ４を用いたコロイド除去装置３及び吸着装置５を有する簡素な装置構成で、放射性廃棄物の発生量を低減することができ、放射性核種を測定下限値以下まで除去することができる。本実施例の放射性廃液の処理方法によって発生する放射性廃棄物は、ろ過装置２のろ材、静電フィルタの廃フィルタ、及び吸着装置５の廃吸着材であり、沈殿は発生せず、放射性廃棄物の発生量を低減することが可能である。
【００３０】
放射性廃液がコロイドとして正に帯電しているコロイドを含んでいる場合には、コロイド除去装置３の替りに負に帯電される静電フィルタを有するコロイド除去装置を用いると良い。
【実施例２】
【００３１】
本発明の他の好適な実施例である実施例２の放射性廃液の処理方法を、図３を用いて説明する。さらに、この放射性廃液の処理方法に用いられる放射性廃液処理装置を、図３を用いて説明する。
【００３２】
本実施例に用いられる放射性廃液処理装置１Ａは、放射性廃液処理装置１においてコロイド除去装置３Ａを追加した構成を有する。コロイド除去装置３Ａは、ケーシング内に複数の静電フィルタ４Ａを設置している。コロイド除去装置３Ａは、接続配管８Ａによってコロイド除去装置３に接続され、さらに、接続配管９によって吸着装置５において最も上流に位置する吸着塔６に接続される。コロイド除去装置３Ａの各静電フィルタ４Ａは、コロイド除去装置３の静電フィルタ４と異なり、通電により負に帯電される。放射性廃液処理装置１Ａの他の構成は放射性廃液処理装置１と同じである。コロイド除去装置３の静電フィルタ４は正に帯電される。
【００３３】
放射性廃液処理装置１Ａを用いて実施される本実施例の放射性廃液の処理方法を、具体的に説明する。本実施例の放射性廃液の処理方法では、沸騰水型原子力プラントにおいて発生した放射性廃液が処理される。実施例１と異なる点を主に説明する。
【００３４】
１μｍ以上の粒子、負に帯電しているコロイド、正に帯電しているコロイド及び２種類以上の放射性核種を含む放射性廃液が、及び２種類以上の放射性核種を含む放射性廃液が、放射性廃液供給管７を通してろ過装置２に供給され、さらに、接続配管８を通してコロイド除去装置３に供給される。１μｍ以上の粒子及び負に帯電しているコロイドが、ろ過装置２及びコロイド除去装置３で除去される。コロイド除去装置３から排出された放射性廃液は、接続配管８Ａを通してコロイド除去装置３Ａに供給される。コロイド除去装置３Ａの各静電フィルタ４Ａが負に帯電している。このため、放射性廃液に含まれた正に帯電したコロイドが、負に帯電した各静電フィルタ４Ａに付着して放射性廃液から除去される。コロイド除去装置３Ａから排出された放射性廃液は、吸着装置５の各吸着塔６に供給され、実施例１と同様に、放射性廃液に含まれる各放射性核種が除去される。
【００３５】
本実施例は実施例１で生じる各効果を得ることができる。さらに、本実施例では、コロイド除去装置として、正に帯電する静電フィルタ４を設置したコロイド除去装置３及び負に帯電する静電フィルタ４Ａを設置したコロイド除去装置３Ａを用いているため、放射性廃液に含まれる負に帯電したコロイド及び正に帯電したコロイドを除去することができ、後段の吸着装置５の負荷を低減することができる。
【実施例３】
【００３６】
本発明の他の好適な実施例である実施例３の放射性廃液の処理方法を、図４を用いて説明する。さらに、この放射性廃液の処理方法に用いられる放射性廃液処理装置を、図４を用いて説明する。
【００３７】
放射性廃液処理装置１Ｂは、放射性廃液処理装置１において放射線検出器１２及びバイパス配管１５を追加した構成を有する。開閉弁１４が接続配管９に設けられ、放射線検出器１２が開閉弁１４よりも上流で接続配管９の側に配置される。開閉弁１６が設けられたバイパス配管１５の一端部が、コロイド除去装置３と開閉弁１４の間で接続配管９に接続される。バイパス配管１５の他端部が排出管１１に接続される。放射性廃液処理装置１Ｂの他の構成は放射性廃液処理装置１と同じである。
【００３８】
放射性廃液処理装置１Ｂを用いて実施される本実施例の放射性廃液の処理方法を、具体的に説明する。本実施例の放射性廃液の処理方法では、沸騰水型原子力プラントにおいて発生した放射性廃液が処理される。実施例１と異なる点を主に説明する。
【００３９】
１μｍ以上の粒子、負に帯電しているコロイド及び２種類以上の放射性核種を含む放射性廃液が、放射性廃液供給管７を通してろ過装置２に供給され、さらに、コロイド除去装置３に供給される。放射性廃液に含まれた１μｍ以上の粒子がろ過装置２で除去され、負に帯電したコロイドがコロイド除去装置３の静電フィルタ４で除去される。
【００４０】
放射線検出器１２が、コロイド除去装置３から排出されて接続配管９内を流れる放射性廃液の放射能濃度を測定する。放射線検出器１２で測定された放射能濃度が放射線検出器１２の測定下限値よりも大きいとき、開閉弁１４が開いて開閉弁１６が閉じられ、コロイド除去装置３から排出された放射性廃液が吸着装置５に供給され、吸着装置５の各吸着塔６が放射性廃液に含まれているイオン状の各放射性核種を別々に吸着し除去する。吸着装置５で各放射性核種が除去されて吸着装置５から排出管１１に排出された処理水の放射能濃度は放射線検出器１２の測定下限値以下に低減されている。
【００４１】
放射線検出器１２で測定された、接続配管９内を流れる放射性廃液の放射能濃度が放射線検出器１２の測定下限値以下であったとき、開閉弁１６が開けられて開閉弁１４が閉じられる。接続配管９内を流れる放射性廃液は、バイパス配管１５を通って排出管１１に導かれる。このとき、接続配管９内を流れる、測定下限値以下である放射性廃液は吸着装置５に供給されない。
【００４２】
放射線検出器１２で測定された放射能濃度に基づいた開閉弁１４，１６の開閉は、手動または自動で行われる。開閉弁１４，１６の手動による開閉は、放射線検出器１２で測定された放射能濃度が表示装置（図示せず）に表示され、表示された放射能濃度を見たオペレータによって開閉弁１４，１６の開閉が行われる。開閉弁１４，１６の自動による開閉は、放射線検出器１２で測定された放射能濃度を入力する制御装置（図示せず）が開閉弁１４，１６の開閉を行う。
【００４３】
放射線検出器１２は、放射性廃液に含まれる放射性核種が放出する放射線（例えば、アルファ線、ベータ線、ガンマ線、エックス線）を測定し、例えば、電離箱、シンチレーション型検出器、または半導体型検出器である。放射線検出器１２で測定する放射能は、１種類であってもよいし、２種類以上であってもよい。
【００４４】
本実施例は実施例１で生じる各効果を得ることができる。また、処理水にイオン状の放射性物質が含まれないときには吸着装置５に処理水を供給しないので、処理水の吸着装置５通過時に各吸着塔６内の吸着材からの放射性核種溶出による処理水の再汚染を回避することができ、また、不要な通水を避けることによる吸着材の性能劣化を低減することができる。
【００４５】
放射性廃液処理装置１Ｂにおいて、コロイド除去装置２に放射性廃液処理装置１Ａと同様に、コロイド除去装置２に接続配管８Ａによりコロイド除去装置２Ａを接続し、コロイド除去装置２Ａに接続配管９を設置してもよい。この場合には、放射線検出器１２は、コロイド除去装置２Ａから排出される放射性廃液の放射能濃度を測定する。測定された放射能濃度が放射線検出器１２の測定下限値以下であるとき、開閉弁１６が開いて開閉弁１４が閉じられる。測定された放射能濃度がその測定下限値よりも大きいとき、開閉弁１４が開いて開閉弁１６が閉じられる。
【００４６】
実施例１〜４の各放射性廃液の処理方法は、加圧水型原子力プラントにおいて発生した放射性廃液の処理にも適用できる。
【符号の説明】
【００４７】
１，１Ａ，１Ｂ…放射性廃液処理装置、２…ろ過装置、３，３Ａ…コロイド除去装置、４，４Ａ…静電フィルタ、５…吸着装置、６…吸着塔、１２…放射線検出器、１４，１６…開閉弁、１５…バイパス配管。
【図１】
0006046574.tif 000002
【図２】
0006046574.tif 000003
【図３】
0006046574.tif 000004
【図４】
0006046574.tif 000005